(57)【要約】  【課題】使い勝手がよく、しかも安価に製造できる詰め替え容器の提供。  【解決手段】詰め替え容器１０の底面は漏斗状に底上げされており、底上げされたその底面は漏斗状部１をなしている。漏斗状部１の中央部が最も凹んだ領域であり、ここに注入口部２が設けてある。注入口部２には雌ネジが形成してある。雄ネジ付き蓋３は、注入口部２の雌ネジに螺合するネジ頭付き雄ネジでなる。そのネジ頭には、十字溝３ａが形成してある。漏斗状部１を上に向け、詰め替え用袋の液体洗剤の取り出し口を漏斗状部１の上に位置させ、詰め替え用袋を傾ける。このとき液体洗剤は、詰め替え用袋から漏斗状部１に流れ出し、漏斗状部１の底にある注入口部２を経て、詰め替え容器１０の内部に注入される。この詰替え作業では、さほどの注意を要せずとも、液体洗剤が詰め替え容器１０外に漏れることはない。【選択図】      図１
2005343547.tif 000002
【特許請求の範囲】
【請求項１】
底面を漏斗状に底上げしてなる漏斗状部と、該漏斗状部の最も凹んだ領域に設けられた注入口部と、該注入口部の蓋となる蓋部材とを有することを特徴とする詰め替え容器。
【請求項２】
前記注入口部に雌ネジが形成してあり、前記蓋部材は該雌ネジに螺合するネジ頭付き雄ネジでなり、該ネジ頭には十字溝又はマイナス溝が形成してあることを特徴とする請求項１に記載の詰め替え容器。
【発明の詳細な説明】
【技術分野】
【０００１】
本発明は、台所用洗剤、トイレ用洗剤、シャンプー等の液体洗剤および食用油、醤油、ソース、酢等の液体食品並びに液体糊などの家庭用液体を収容するのに好適な詰め替え容器に関する。
【背景技術】
【０００２】
家庭などで一般的に用いられる液体洗剤用容器は、ある程度の剛性を有するプラスチック製のボトル状の容器である。容器を手で保持して、容器内部の洗剤を洗濯機の洗濯槽に安定に注ぐには、容器にはある程度の剛性が必要である。プラスチック製のボトル状容器に一定の剛性を持たせるために、容器におけるプラスチック製板状壁部材には０．５〜１ｍｍ程度の厚みを持たせる必要がある。したがって、容器の容積当たりのプラスチック重量を一定値以上に保持することが求められる。このような、ある程度の剛性を有するプラスチック製のボトル状の容器で液体洗剤を製造者から家庭まで流通させると、その容器一杯分の液体洗剤の消費ごとに、容器が廃棄される。プラスチック製のボトル状の容器の廃棄重量が多いことは、廃棄物の処理における環境負荷および経済的負担が大きいこととなる。
【０００３】
そこで、液体洗剤の製造者から家庭に届けるまでは、液体洗剤の詰め替え用袋が流通の手段として利用されている。詰め替え用袋は、薄いシート状の可撓性プラスチックでなる。詰め替え用袋の容積当たりの重量は、ボトル状の容器のそれの数分の１であるので、詰め替え用袋の廃棄処理における環境負荷および経済的負担はボトル状の容器のそれの数分の１である。
【０００４】
その詰め替え用袋の角の形には、鋏などで切り取ることにより、液体洗剤の取り出し口が形成されるように、工夫が施してある。しかし、詰め替え用袋は、薄いシート状であり、可撓性に富むので、その取り出し口からボトル状の容器の注入口に液体洗剤を注ぐ際に、相当に注意を払っても、液体洗剤がボトル状の容器の注入口の外に漏れ、液体洗剤の詰め替え作業者（家庭の主婦など）を困らせる事態がしばしば起こる。
【０００５】
そこで、このような詰め替え作業を容易にするために、特許文献１に記載の容器が提案されている。特許文献１に記載の容器は、容器本体（２）の下部に袴部（３）を装着してなる。その袴部（３）の内部には、漏斗状部（１０）が設けてある。液体洗剤の詰め替えの際には、容器本体（２）の下部から袴部（３）を取り外し、漏斗状部（１０）の挿入口部（１１）を容器本体（２）の上部の口部（７）に挿入し、詰め替え用袋の取り出し口から漏斗状部（１０）に液体洗剤を注ぐ。
【特許文献１】特開平０７−１０１４７７
【発明の開示】
【発明が解決しようとする課題】
【０００６】
前述の特許文献１に記載の容器は、容器本体（２）とは別に袴部（３）を取り付けてなる。この構造では、詰め替えの際だけに使われる袴部（３）は、漏斗状部（１０）を内包するので、相当の大きさである。容器本体（２）から洗濯機の洗濯槽に液体洗剤を注ぐ際にも、袴部（３）が容器本体（２）の下部に固着されているので、詰め替え容器が嵩張り、詰め替え容器の使い勝手は悪い。その上、特許文献１に記載の容器における袴部（３）は容器本体（２）の下部と同じ程度の大きさである。このような相当に大きい形の袴部（３）が容器本体（２）に着脱される構造となっているので、容器本体（２）及び袴部（３）の構造が複雑であり、容器の製造費が高価になる。
【０００７】
そこで、本発明は、使い勝手がよく、しかも安価に製造できる詰め替え容器の提供を目的とする。
【課題を解決するための手段】
【０００８】
前述の課題を解決するために、本発明は次の手段を提供する。
【０００９】
（１）底面を漏斗状に底上げしてなる漏斗状部と、該漏斗状部の最も凹んだ領域に設けられた注入口部と、該注入口部の蓋となる蓋部材とを有することを特徴とする詰め替え容器。
【００１０】
（２）前記注入口部に雌ネジが形成してあり、前記蓋部材は該雌ネジに螺合するネジ頭付き雄ネジでなり、該ネジ頭には十字溝又はマイナス溝が形成してあることを特徴とする前記（１）に記載の詰め替え容器。
【発明の効果】
【００１１】
上記構成の本発明によれば、使い勝手がよく、しかも製造費の安い詰め替え容器を提供できる。
【発明を実施するための最良の形態】
【００１２】
次に、図面を参照して本発明の実施形態を説明する。図１は本発明の一実施の形態を示す図であり、（Ａ）はその正面図、（Ｂ）は底面図である。図２及び図３は、図１の実施の形態における底部の断面図であり、図２は注入口部２を雄ネジ付き蓋３で塞いだ状態を示し、図３は雄ネジ付き蓋３を注入口部２から外し、注入口部２を開いた状態を示す。図４は、図２及び図３に示した雄ネジ付き蓋３の側面図（Ａ）及び正面図（Ｂ）である。
【００１３】
図において、１は漏斗状部、２は注入口部、２ａは雌ネジ部、３は雄ネジ付き蓋、３ａは十字溝、３ｂは雄ネジ、４はノズル、５はレバー、１０はプラスチック製の詰め替え容器（本実施の形態）、１０ａは座面部である。
【００１４】
詰め替え容器１０は、液体洗剤用の容器であり、ノズル４及びレバー５を備える。レバー５を引くことにより、詰め替え容器１０内のポンプが液体洗剤をノズル４に圧送し、ノズル４から霧状の液体洗剤を噴出する。詰め替え容器１０は、格別に汚れの激しい部位にノズル４を向け、液体洗剤をその部位に噴射し、液体洗剤を高い濃度で汚れに触れさせ、汚れを効果的に除去しようとする場合や、浴槽、浴室の壁面などの広い面に均一に洗剤を吹き付ける場合などに用いて効果的である。
【００１５】
詰め替え容器１０の底面は漏斗状に底上げされており、底上げされたその底面は漏斗状部１をなしている。漏斗状部１の中央部が最も凹んだ領域であり、ここに注入口部２が設けてある。注入口部２には雌ネジが形成してある。雄ネジ付き蓋３（前述の蓋部材に相当）は、注入口部２の雌ネジに螺合するネジ頭付き雄ネジでなる。そのネジ頭には、十字溝３ａが形成してある。雄ネジ付き蓋３におけるネジ頭の座面は円錐状をなす。その円錐状座面は、雄ネジ付き蓋３の雄ネジ３ｂを注入口部２の雌ネジに締め付けたとき、注入口部２の開口縁に密着し、雄ネジ付き蓋３が注入口部２の開口を確実に閉止し、詰め替え容器１０内部の液体洗剤が漏れるのを防ぐ。
【００１６】
薄いシート状であり、可撓性に富む詰め替え用袋に収納されている液体洗剤を図１の実施の形態の詰め替え容器に詰替える方法を説明する。まず、十字溝３ａに１０円硬貨などを嵌め、雄ネジ付き蓋３を回し、雄ネジ付き蓋３を注入口部２から外し、注入口部２を開き（図３の状態）、雄ネジ付き蓋３を台（例えば、洗濯機の上面）に置き、また雄ネジ付き蓋３を外された詰め替え容器１０を台（例えば、洗濯機の上面）に置く。
【００１７】
次に、詰め替え用袋の角を鋏などで切り取り、液体洗剤の取り出し口を形成し、雄ネジ付き蓋３を外された詰め替え容器１０を台から取り上げ、漏斗状部１を上に向け、詰め替え用袋の液体洗剤の取り出し口を漏斗状部１の上に位置させ、詰め替え用袋を傾ける。このとき液体洗剤は、詰め替え用袋の取り出し口から漏斗状部１に流れ出し、漏斗状部１の底にある注入口部２を経て、詰め替え容器１０の内部に注入される。詰め替え用袋の液体洗剤の殆ど全部が、漏斗状部１を経て詰め替え容器１０の内部に注入されると、詰め替え用袋をゴミ容器に捨て、台上の雄ネジ付き蓋３を手に取り、雄ネジ付き蓋３の雄ネジ３ｂを注入口部２の雌ネジに螺合する。この螺合工程の当初は雄ネジ付き蓋３を指で回すことにより雄ネジ３ｂを注入口部２の雌ネジに螺合するが、その螺合工程の途中からは、十字溝３ａに１０円硬貨などを嵌め、雄ネジ付き蓋３を１０円硬貨などで回し、雄ネジ付き蓋３を注入口部２の雌ネジに十分に緊締する。しかる後に、漏斗状部１は、水（例えば、洗濯機の注水口から洗濯槽に注がれる水）に曝し、洗浄する。好ましくは、その後に、詰め替え容器１０の外面全体を布巾で拭くことにより、詰め替え容器１０の外面の水分を拭う。以上の工程で、詰め替え用袋に収納されている液体洗剤を本実施の形態の詰め替え容器に詰替える作業を終了する。このような手順で液体洗剤を注入された詰め替え容器１０は、漏斗状部１を下方に向け、レバー５を引くことにより、ノズル４から液体洗剤を噴射できる。
【００１８】
以上に説明した、本実施の形態の詰め替え容器１０に詰め替え用袋の液体洗剤を詰替える作業では、詰め替え用袋に収納されている液体洗剤は、詰め替え容器１０底部の漏斗状部１へ注げば、漏れることなく詰め替え容器１０の内部に注入される。この詰替え作業では、さほどの注意を要せずとも、液体洗剤が詰め替え容器１０外に漏れることはない。
【００１９】
本実施の形態の詰め替え容器１０では、底面が漏斗状部１を兼ねており、漏斗状部１が詰め替え容器１０と一体である。そこで、詰め替え容器１０は、漏斗状部１付の部材[例えば特許文献１における袴部（３）]を別に設ける必要がないから、漏斗状部１がない一般の詰め替え容器に比べて大型化せず、ひいては使い勝手がよく、また構造が簡単であり、製造費が低廉である。
【００２０】
図５は、本発明の別の実施の形態に用いる蓋部材の一例としての雄ネジ付き蓋７を示す図である。図５の雄ネジ付き蓋７は、図４の雄ネジ付き蓋３における十字溝３ａに代えて、マイナス溝７ａを備える。図５の符号７ｂは、注入口部２の雌ネジに螺合する雄ネジを示す。図５の雄ネジ付き蓋７は、その他の点においては図４の雄ネジ付き蓋３と同じ構造であり、雄ネジ付き蓋３と同様に十円硬貨などをマイナス溝７ａに嵌めて、容易に回すことができる。
【００２１】
以上には、液体洗剤用詰め替え容器を実施の形態として挙げ、本発明を具体的に説明したが、本発明はこの実施の形態に限られるものでは勿論ない。収納する液体は、食用油、醤油、ソース、酢等の液体食品および液体糊などの家庭用液体、その他何であっても差し支えない。また、実施の形態では、ノズル４やレバー５を備えた詰め替え容器を挙げたが、このような部材を備えないもの、例えば特許文献１に示された容器本体（２）のような単純な形のものにも、本発明は適用できる。
【図面の簡単な説明】
【００２２】
【図１】本発明の一実施の形態を示す図であり、（Ａ）はその正面図、（Ｂ）は底面図である。
【図２】図１の実施の形態における底部の断面図であり、注入口部２を雄ネジ付き蓋３で塞いだ状態を示す。
【図３】図１の実施の形態における底部の断面図であり、雄ネジ付き蓋３を注入口部２から外し、注入口部２を開いた状態を示す。
【図４】図２及び図３に示した雄ネジ付き蓋３を示す図であり、（Ａ）は側面図、（Ｂ）は正面図である。
【図５】本発明の別の実施の形態に用いる蓋部材の一例としての雄ネジ付き蓋７を示す図であり、（Ａ）は側面図、（Ｂ）は正面図である。
【符号の説明】
【００２３】
１    漏斗状部
２    注入口部
２ａ    雌ネジ部
３    雄ネジ付き蓋
３ａ    十字溝
３ｂ    雄ネジ
４    ノズル
５    レバー
７    雄ネジ付き蓋
７ａ    マイナス溝
７ｂ    雄ネジ
１０    詰め替え容器
１０ａ    座面部
１０ｂ    詰め替え容器１０の首部
【図１】
2005343547.tif 000003
【図２】
2005343547.tif 000004
【図３】
2005343547.tif 000005
【図４】
2005343547.tif 000006
【図５】
2005343547.tif 000007